(57)【要約】【課題】この発明は、資料を検索するときに、資料を入力したり検索したりし、簡単で速い略コード検索方法を提供する。【解決手段】トランスコーダー３８を利用して、標準コードインデックスファイル３６の中にある標準コードを略コードに変換することと、前記トランスコーダーにより、前記標準コードインデックスファイル３６の中にある前記標準コードを変換することから生じる前記略コードを略コードインデックスファイル４０に記録することと、検索インターフェースを利用して、検索しようとする資料の略コードを入力することと、検索エンジン２０を利用して、入力される略コードにより、前記略コードインデックスファイル４０を検索することとを含む。【選択図】      図３
2004227557.tif 000002
【特許請求の範囲】
【請求項１】
略コード検索システムを利用して、資料を検索する方法であって、前記略コード検索システムは、
複数の資料ファイルと、
前記複数の資料ファイルから建てられる標準コードインデックスを記録するために使われる標準コードインデックスファイルと、
標準コードを略コードに変換するために使われるトランスコーダーと、
前記トランスコーダーから変換される前記略コードを記録するために使われる略コードインデックスファイルとを含み、
前記方法は、
前記トランスコーダーを利用して、前記標準コードインデックスファイルの中にある前記標準コードを前記略コードに変換することと、
前記トランスコーダーにより、前記標準コードインデックスファイルの中にある前記標準コードを変換することから生じる前記略コードを前記略コードインデックスファイルに記録することと、
検索インターフェースを利用して、検索しようとする資料の略コードを入力することと、
検索エンジンを利用して、入力される略コードにより、前記略コードインデックスファイルを検索することとを含むことを特徴とする資料を検索する方法。
【請求項２】
前記複数の資料ファイルがネットワーク上のホームページであり、前記標準コードインデックスファイルと前記略コードインデックスファイルは、前記ネットワークに接続する端末機に設けられることを特徴とする請求項１記載の資料を検索する方法。
【請求項３】
前記検索インターフェースが携帯電話システムであることを特徴とする請求項１記載の資料を検索する方法。
【請求項４】
前記検索インターフェースは、資料を表示するために使われる表示装置を具え、前記方法は、更に前記検索エンジンによって検索し出したホームページを前記表示装置に表示することを含むことを特徴とする請求項２記載の資料を検索する方法。
【請求項５】
前記検索エンジンは、検索し出された前記ホームページを、検索し出された頻度によって順番に並ぶことを特徴とする請求項２記載の資料を検索する方法。
【請求項６】
前記検索エンジンは、検索し出された前記ホームページを、前記検索インターフェースに入力する略コードに対応される資料が各々の前記ホームページに現われる回数によって順番に並ぶことを特徴とする請求項２記載の資料を検索する方法。
【請求項７】
前記複数の資料ファイルがデータベースの中にあるファイルであることを特徴とする請求項１記載の資料を検索する方法。
【請求項８】
前記方法は、更に前記資料ファイルと前記資料ファイルの略コードを同時に前記検索インターフェースに表示することを含むことを特徴とする請求項１記載の資料を検索する方法。
【発明の詳細な説明】
【０００１】
【発明の属する技術分野】
本発明は、資料を検索する方法に関し、特に略コード検索システムで資料を検索する方法に関する。
【０００２】
【従来の技術】
モバイル通信の時代が到来するにつれ、携帯電話の使用頻度が段々高くなり、携帯電話でインターネットと接続する時間も増加しつつある。インターネットで資料を検索するのは、日常のことであるが、携帯電話でインターネットと接続し、資料を検索するのは、簡単ではない。原因は、携帯電話にあるキーボードのキーの数が少なく、通常にただ数字キーと幾つのファンクションキーしかないので、もしこのような小型の入力装置を使う場合であれば、例えば、携帯電話にあるキーボードで文字を入力する時に、どんな入力方法に関わらず、簡単ではない。
【０００３】
図１を参照するに、図１は、従来技術による検索システム１０を表す説明図である。従来技術による検索システム１０は、データベース１２と標準コードインデックスファイル１６を含み、データベース１２が更に複数の資料ファイル１４を含む。データベース１２にある資料が標準コードのフォーマットで複数の資料ファイル１４に記録され、資料を検索する方法は、データベース１２の中に検索しようとする資料ファイル１４を先に選択し、複数の資料ファイル１４の標準コードインデックスを建て、更に前記標準コードインデックスを標準コードインデックスファイル１６に記録する。使用者は、検索インターフェースを介して、検索しようとする資料を入力し、前記検索インターフェースがコンピュータキーボードかディスプレイであり、或いは、インターネットサービスを提供する携帯電話である。図１に示すように、使用者に入力され、検索しようとする資料は、インターネットを介して、検索エンジン２０に送られ、まずトランスコーダー１８を介して、検索しようとする資料の内容を標準フォーマットに変換し、そして、検索エンジン２０は、入力された検索しようとする資料の標準コードに従って、順番検索或いは全文検索などの方法で標準コードインデックスファイル１６を検索する。その検索結果は、検索しようとする資料が各々の資料ファイル１４の中に現われる回数或いは検索しようとする資料が各々の資料ファイル１４の中に検索される回数によって、順番に並び、最後に検索結果を前記検索インターフェースのディスプレー装置に表し、例えば、図１にある携帯電話の表示パネル２６に表す。上述した検索システム１０を使う時に、もしコンピュータキーボードが入力の検索インターフェースとされれば、使用者は、自分の慣れる入力法を選択し、検索しようとする資料のキーワードをすばやく入力することができる。しかし、前記検索インターフェースが携帯電話のキーボード２４である場合に、キーボードの数が少ないので、資料を入力するのに遅くて、不便である。
【０００４】
またコンピュータの中に大量のメモリがあるので、たくさんの入力法が数多くの常用語彙のデータベースを内蔵し、使用者が同音字を入力する時に、前記入力法が内蔵される常用語彙のデータベースにある常用語彙によって前記同音字を修正する。例えば、使用者が中国語の発音入力法で「法」を入力したいけれども、「髪」が出てしまう可能性がある。しかし、使用者は、文字を選択することが要らなく、続いて、「緑」を入力したら、常用語彙のデータベースが常用語彙によって「髪緑」を「法律」に修正する。内蔵される常用語彙のデータベースによって同音字を修正することは、使用者が資料を入力する時に、文字を選ぶ回数を減らし、確かに使用者に資料を入力する速度を速くすることができる。しかし、同音の文字が多いと、常用語彙のデータベースは、膨大なメモリを占めることが必要であり、携帯電話２２のような小型の電子商品に適切ではない。
【０００５】
図２に参照するに、図２は、中国語の発音記号を標示する電話キーボード２４を表す説明図である。従来技術による電話キーボード２４で使う入力法は、入力法の記号を一対複数の形で電話キーボード２４の数字キーに対応させ、前記入力法の記号を使う時には、前記数字キーを複数回に押す。図２を示すように、発音入力法を例として、
【外１】
2004227557.tif 000003
と
【外２】
2004227557.tif 000004
と
【外３】
2004227557.tif 000005
と
【外４】
2004227557.tif 000006
の四つの発音記号がすべて数字キー「１」に対応し、
【外５】
2004227557.tif 000007
と
【外６】
2004227557.tif 000008
と
【外７】
2004227557.tif 000009
と
【外８】
2004227557.tif 000010
の四つの発音記号がすべて数字キー「７」に対応し、「＃」キーが音調を入力する。文字「法」を入力する時に、数字キー「１」を四回押すことにより
【外９】
2004227557.tif 000011
を入力し、数字キー「７」を一回押すことにより
【外１０】
2004227557.tif 000012
を入力し、更に「＃」キーを三回押すことにより第三音調を入力し、最後に同音字の中に「法」を選び出す。そのようにしたら、入力速度が遅い。
【０００６】
【発明が解決しようとする課題】
この発明は、資料を検索するときに、資料を入力したり検索したりし、簡単で速い略コード検索方法を提供することを課題とする。
【０００７】
【課題を解決するための手段】
そこで、本発明者は従来の技術に見られる欠点に鑑み鋭意研究を重ねた結果、複数の資料ファイルと、前記複数の資料ファイルから建てられる標準コードインデックスを記録するために使われる標準コードインデックスファイルと、標準コードを略コードに変換するために使われるトランスコーダーと、前記トランスコーダーから変換される前記略コードを記録するために使われる略コードインデックスファイルとを含む構造と、前記トランスコーダーを利用して、前記標準コードインデックスファイルの中にある前記標準コードを前記略コードに変換することと、前記トランスコーダーにより、前記標準コードインデックスファイルの中にある前記標準コードを変換することから生じる前記略コードを前記略コードインデックスファイルに記録することと、検索インターフェースを利用して、検索しようとする資料の略コードを入力することと、検索エンジンを利用して、入力される略コードにより、前記略コードインデックスファイルを検索することとを含む方法によって課題を解決できる点に着眼し、かかる知見に基づいて本発明を完成させた。
【０００８】
【発明の実施の形態】
図３を参照するに、図３は、本発明による略コード検索システム３０を表す説明図である。略コード検索システム３０は、データベース３２と、標準コードインデックスファイル３６と、トランスコーダー３８と略コードインデックスファイル４０を含み、データベース３２が更に複数の資料ファイル３４を含む。一般的に、データベース３２の資料は、標準コードフォーマットで複数の資料ファイル３４の中に記録される。略コード検索システム３０を使う時に、複数の資料ファイル３４の標準コードインデックスを建て、更に前記標準コードインデックスを標準コードインデックスファイル３６の中に記録する。続いて、トランスコーダー３８は、標準コードインデックスファイル３６の記録される標準コードフォーマットを略コードフォーマットに変換し、更に標準コードインデックスファイル３６を変換することから生じる略コードを略コードインデックスファイル４０に記録する。使用者は、検索インターフェースを介して、略コードで検索しようとする資料を入力し、図３に示すように、前記検索インターフェースが携帯電話２２である。使用者が電話キーボード２４で入力される検索しようとする資料は、インターネットを介して、検索エンジン２０に送られる。検索エンジン２０は、使用者の入力する略コードで略コードインデックスファイル４０を検索し、検索結果は、インターネットを介して、携帯電話２２に送られ、更に表示パネル２６に表示する。
【０００９】
図４を参照するに、図４は、図３にある表示パネル２６に表れる資料内容を表す説明図である。もし使用者がデータベース３２の中にある資料ファイル３４を検索範囲として選択すれば、略コード検索システム３０が資料ファイル３４の標準コードインデックスを建て、更に前記標準コードインデックスを標準コードインデックスファイル３６に記録する。続いて、トランスコーダー３８は、標準コードインデックスファイル３６に記録される標準コードフォーマットを、略コードフォーマットに変換し、更に標準コードインデックスファイル３６を変換することから生じる略コードを略コードインデックスファイル４０に記録する。使用者は、資料ファイル３４と資料ファイル３４の略コードを同時に表示パネル２６に表示するかを選択することもできる。略コードのコーディングは、何れの入力法のコーディングでも結構であり、図４に示す略コードが発音のコーディングである。もし使用者が「龍捲風」のキーワードで資料ファイル３４を検索すれば、まず使用者が中国語の発音入力法で「龍」を入力し、図２の中に発音記号を標示する電話キーボード２４に対応し、発音略コード“２０９”を入力する。この時、検索エンジン２０が即時に略コードインデックスファイル４０の中にある略コードを検索し、略コード“２０９”を探し出し、更に表示パネル２６に表示する。もし略コードインデックスファイル４０の中にある第一番目の資料の略コード“２０９”が始まる語彙は「龍捲風」であれば、使用者は、表示パネル２６に示される略コード“４０９”と  “１９”によって素早く残りの「捲」と「風」を入力する。もし略コードインデックスファイル４０の中に略コード“２０９”に対応される第一番目の文字が「隆」であれば、使用者が再びに図２の中に発音記号を標示する電話キーボード２４に「捲」を入力し、「捲」の発音略コードが“４０９”である。この時、検索エンジン２０は、続いて略コードインデックスファイル４０の中に略コード“２０９４０９”の資料を比較し、更に検索結果を表示パネルに表示する。もし探し出し略コード“２０９４０９”に対応される文字が「龍捲」ではなければ、使用者が再びに図２の中に発音記号を標示する電話キーボード２４に「風」を入力し、「風」の発音略コードが“１９”である。この時、検索エンジン２０は、続いて略コードインデックスファイル４０の中に略コード“２０９４０９１９”の資料を比較し、更に検索結果を表示パネルに表示する。その他、検索エンジン２０の検索結果は、検索資料が資料ファイル３４に検索される頻度或いは検索資料が資料ファイル３４に現われる回数によって順番にする。
【００１０】
図５を参照するに、図５は、本発明による検索方法の流れ図であり、そのステップは以下に示される。
【００１１】
ステップ１００：データベースにある資料ファイルを検索待ちの資料とする。
ステップ１１０：資料ファイルの標準コードインデックスを建て、更に前記標準コードインデックスを標準コードインデックスファイルに記録する。
ステップ１２０：トランスコーダーを使って、標準コードインデックスファイルに記録される標準コードフォーマットを略コードフォーマットに変換し、更に標準コードインデックスファイルを変換することから生じる略コードを略コードインデックスファイルに記録する。
ステップ１３０：電話キーボードを使って、略コードで検索しようとする資料を入力する。
ステップ１４０：検索エンジンを使って、略コードを比較する方式を介して、略コードインデックスファイルを検索し、更に検索した第一番目の資料とその略コードを即時に表示パネルに表示する。
ステップ１５０：最終の検索結果を表示パネルに表示する。
【００１２】
本発明による略コード検索システム３０は、トランスコーダー３８を使って、標準コードインデックスファイル３６に記録される標準コードフォーマットから略コードフォーマットに変換し、更に標準コードインデックスファイル３６を変換することから生じる略コードを略コードインデックスファイル４０の中に記録し、前記略コードフォーマットが使用者の入力する検索しようとする略コードと同じである。検索エンジン２０は、直接に使用者の入力する略コードによって検索待ちの資料から形成される略コードインデックスファイル４０を検索する。上に述べたように、使用者が資料ファイル３４の中にあるキーワード「龍捲風」を検索する時に、ただ略コード“２０９４０９１９”を入力するだけでよろしく、又は、略コード“２０９”を入力してから、即時に略コード“２０９”が資料ファイル３４の中に対応される第一番目の文字が現われ、もし文字が丁度検索しようとする「龍」であり、その語彙も丁度「龍捲風」であれば、使用者が即時に表示パネル２６に現われる「龍捲風」の略コード“２０９４０９１９”によって検索資料を入力し、図２の中に発音記号を標示する電話キーボード２４によって検索資料を入力することが要らずに、資料ファイル３４の中に「龍捲風」と関するすべての資料を得ることができる。略コード検索システム３０を使って、資料を検索するのは、便利だけではなく、使用者がどんな入力法を使っても、入力速度をあげることができる。上述した実施例は、ただ略コード検索システムを携帯電話に応用することを説明したが、本発明も情報携帯端末或いは他の資料検索インターフェースに応用することができる。
【００１３】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲の範囲に属するものとする。
【００１４】
【発明の効果】
従来技術と比べ、本発明による略コード検索システム３０は、トランスコーダー３８をシステムの中に設け、標準コードインデックスファイル３６に記録される標準コードフォーマットを略コードフォーマットに変換し、更に略コードインデックスファイル４０に記録することに使われ、検索エンジン２０が使用者の入力し、検索しようとする資料の略コードによって直接に略コードインデックスファイル４０を検索する。又は、検索エンジン２０は、探し得た第一番目の資料とその略コードを表示パネルに表し、使用者が表示される略コードによって資料を入力し、入力速度を上げる。従来技術による検索システム１０は、使用者の入力する検索しようとする資料の略コードがトランスコーダー１８を介して標準コードに変換され、検索エンジン２０は、標準コードによって標準コードインデックスファイル１６を検索し、同時に資料を入力と検索することができない。本発明による略コード検索システムを使って、資料を検索するのは、使用者が略コードで検索しようとする資料を入力し、入力したり検索したりし、簡単で速い。
【図面の簡単な説明】
【図１】従来技術による検索システムを表す説明図である。
【図２】発音記号を標示する電話キーボードを表す説明図である。
【図３】本発明による略コード検索システムを表す説明図である。
【図４】図３にある表示パネル表れる資料の内容を表す説明図である。
【図５】本発明による検索方法の流れ図である。
【符号の説明】
１０      従来技術による検索システム
１２      データベース
１４      資料ファイル
１６      標準コードインデックスファイル
１８      トランスコーダー
２０      検索エンジン
２２      携帯電話
２４      電話キーボード
２６      表示パネル
３０      略コード検索システム
３２      データベース
３４      資料ファイル
３６      標準コードインデックスファイル
３８      トランスコーダー
４０      略コードインデックスファイル
【図１】
2004227557.tif 000013
【図２】
2004227557.tif 000014
【図３】
2004227557.tif 000015
【図４】
2004227557.tif 000016
【図５】
2004227557.tif 000017